(57)【特許請求の範囲】
【請求項１】
建物開口部における外窓の内側に設置して二重窓を形成させるための内窓であって、
建物開口部枠内にガイド材を介して装着される内窓の周枠が、外窓側の四周に位置する外枠材と、それらの内側に透光板を挟んで配設される内枠材との接合により構成され、
上記周枠は、中空筒状の本体部の内周側に上記透光板の受け面を有する各一対の縦及び横の金属製の外枠材を四隅において連結することにより形状保持性を付与してなり、
上記透光板は、その四周を上記外枠材における上記受け面に対して面ファスナーまたは緩衝材を介して取り付けられ、
上記内枠材は、四周の各外枠材の室内側を被包するカバーとしての形態を有し、上記外枠材における本体部の周囲に弾性的に係着する少なくとも一対の係止鈎を備え、且つ、上記外枠材における受け面に対向する部位に上記透光板を該受け面側に押圧する可撓舌片を備え、該係止鈎及び可撓舌片を上記内枠材と共に合成樹脂で一体に成形している、
ことを特徴とする建物開口部用内窓。
【請求項２】
上記透光板を外枠材における受け面に対して面ファスナーにより取り付け、該面ファスナーは、互いに係脱可能に接合されて、その接合面間に通気間隙が形成される第１及び第２のファスナー片により構成され、
上記内枠材における可撓舌片に、上記面ファスナーの接合面間及び内外枠材内を通して透光板の反対面側に流れる気流を阻止するシール機能をもたせた、
ことを特徴とする請求項１に記載の建物開口部用内窓。
【請求項３】
上記透光板を外枠材における受け面に対して取り付ける面ファスナーが、第１のファスナー片における多数の鈎形突子と第２のファスナー片における多数の繊維ループとが係着した状態において、それらの接合面内でずれ動き可能に形成されたものであり、
該面ファスナーによって外枠材の受け面に取り付けられる合成樹脂製の透光板が、縦及び横の金属製の外枠材との熱膨張の差異によって応力を受けるのを抑制した、
ことを特徴とする請求項１または２に記載の建物開口部用内窓。
【発明の詳細な説明】
【技術分野】
【０００１】
本発明は、建物開口部における既設の外窓の内側（室内側）に設置して窓用障子を二重にすることにより断熱効果を高めるようにした建物開口部用内窓に関するものである。
【背景技術】
【０００２】
近年、室内の暖冷房効果を高めるために建物開口部におけるガラス窓の内側に内窓を設置したいという要望が高まっているが、既存の建物の開口部におけるこの内窓の設置に際しては、新しい二重窓用のサッシを設置するよりも、既設のガラス窓の内側に新たに内窓だけを設置することが多く、しかも、施工業者でなくても後付けで簡易に設置可能にすることが望まれている。
このような要望に応えるためには、内窓の設置作業の容易性を考慮するだけでなく、設置作業時及び設置後の使用時における危険性の排除、使用状態において不具合が生じるのを抑制するための十分な配慮が必要になる。
【発明の概要】
【発明が解決しようとする課題】
【０００３】
本発明の技術的課題は、既存の建物開口部における外窓の内側に断熱のための内窓を設置するに当たり、該建物開口部に内窓設置のための各種の加工を行う必要がなく、施工業者でなくても、建物開口部の寸法に合わせて、該内窓を簡易に設置できるようにした建物開口部用内窓を提供することにある。
本発明の他の技術的課題は、施工業者による設置でなくても、通常の使用状態では、建物開口部に設置した内窓に破損等の可能性や断熱効果の低下、その他の不具合が生じる可能性がないようにした建物開口部用内窓を提供することにある。
【課題を解決するための手段】
【０００４】
上記課題を解決するため、本発明によれば、建物開口部における外窓の内側に設置して二重窓を形成させるための内窓であって、建物開口部枠内にガイド材を介して装着される内窓の周枠が、外窓側の四周に位置する外枠材と、それらの内側に透光板を挟んで配設される内枠材との接合により構成され、上記周枠は、中空筒状の本体部の内周側に上記透光板の受け面を有する各一対の縦及び横の金属製の外枠材を四隅において連結することにより形状保持性を付与してなり、上記透光板は、その四周を上記外枠材における上記受け面に対して面ファスナーまたは緩衝材を介して取り付けられ、上記内枠材は、四周の各外枠材の室内側を被包するカバーとしての形態を有し、上記外枠材における本体部の周囲に弾性的に係着する少なくとも一対の係止鈎を備え、且つ、上記外枠材における受け面に対向する部位に上記透光板を該受け面側に押圧する可撓舌片を備え、該係止鈎及び可撓舌片を上記内枠材と共に合成樹脂で一体に成形していることを特徴とする建物開口部用内窓が提供される。
【０００５】
本発明に係る建物開口部用内窓の好ましい実施形態においては、上記透光板を外枠材における受け面に対して面ファスナーにより取り付け、該面ファスナーは、互いに着脱可能に接合されて、その接合面間に通気間隙が形成される第１及び第２のファスナー片により構成され、上記内枠材における可撓舌片に、上記面ファスナーの接合面間及び内外枠材内を通して透光板の反対面側に流れる気流を阻止するシール機能をもたせたものとして構成される。
【０００６】
本発明に係る建物開口部用内窓の他の好ましい実施形態においては、上記透光板を外枠材における受け面に対して取り付ける面ファスナーが、第１のファスナー片における多数の鈎形突子と第２のファスナー片における多数の繊維ループとが係着した状態において、それらの接合面内でずれ動き可能に形成されたものであり、該面ファスナーによって外枠材の受け面に取り付けられる合成樹脂製の透光板が、縦及び横の金属製の外枠材との熱膨張の差異によって応力を受けるのを抑制したものとして構成される。
【０００７】
上記構成を有する建物開口部用内窓は、建物開口部における外窓の内側に断熱のための内窓を設置するに当たり、該建物開口部における内窓の設置位置にガイド材を釘やねじ等で固定して、それに建物開口部の寸法に合わせた所定寸法の網戸枠を嵌め着ければよく、そのため、建物開口部に内窓設置のための各種の加工を行う必要がなく、施工業者でなくても、該内窓を簡易に設置することができる。
【０００８】
上記内窓自体の組立も、アルミニウム等の金属製の外枠材用の縦横の枠材を所要の寸法に切断して、それらをコーナー部材で連結することにより外枠材を構成し、その受け面に面ファスナー等を介して透光板を取り付け、その透光板を、各外枠材に対して必要な寸法に切断した内枠材の係止鈎を弾性的に係着させることにより、上記組立を完了し、該透光板を外枠材に対して安定的に保持させることができる。
【０００９】
また、上記内窓自体は、その周枠が、外窓側の四周に位置する外枠材とそれらの内側に透光板を挟んで配設される内枠材との接合により構成され、上記外枠材は、アルミニウム等の金属製の縦横の枠材を四隅において連結することにより形状保持性を付与し、該外枠材の内周側に設けた受け面に透光板を面ファスナー等により取り付けているので、不用意に室内側から透光板を押すようなことがあっても、該透光板が外枠材に安定的に保持されているので外れるようなことはない。
しかも、上記内枠材は、四周の各外枠材の室内側を被包するカバーとしての形態を有する合成樹脂製であり、透光板も合成樹脂製とするので、冬期に二重窓間の空間の温度が低下しても室内側の内枠材等に結露することはない。
【００１０】
更に、上記透光板を外枠材における受け面に対して面ファスナーにより取り付けたままの構成にすると、該面ファスナーの接合面間に通気間隙が形成されることから、上記面ファスナーの接合面間及び内外枠材内を通して透光板の一面側の空気が反対面側に流れ、断熱効果を損なうことになるが、上記透光板を押さえる内枠材の可撓舌片にその空気の流通を阻止するシール機能をもたせているので、透光板の保護と断熱を効果的に行わせることができる。
【００１１】
また、上記外枠材を形成するアルミニウム等の金属材と透光板を構成するポリカーボネート樹脂等の合成樹脂材は、熱膨張係数に差があり、そのため、該透光板を外枠材に対して固定的に保持させておくと、該透光板が膨出したり破損したりする可能性があるが、上述したように面ファスナーがその接合面内でずれ動くようにして、透光板の位置や姿勢を拘束しないようにしておくと、外枠材と透光板との熱膨張の差異によって該透光板が応力を受けるのを抑制することができる。
【発明の効果】
【００１２】
以上に詳述した本発明の建物開口部用内窓によれば、建物開口部における外窓の内側に断熱のための内窓を設置するに当たり、該建物開口部に内窓設置のための各種の加工等を行う必要がなく、該内窓を簡易に設置することができ、しかも、通常の使用状態では、建物開口部に設置した内窓に破損等の可能性や断熱効果の低下、その他の不具合が生じる可能性を抑制した建物開口部用内窓を提供することができる。
【図面の簡単な説明】
【００１３】
【図１】本発明に係る建物開口部用内窓の実施例における内窓ユニットの一部破断分解斜視図である。
【図２】本発明に係る建物開口部用内窓の実施例の縦断面図である。
【図３】同実施例の横断面図である。
【図４】上記内窓ユニットの正面図である。
【発明を実施するための形態】
【００１４】
図１〜図４は、本発明に係る建物開口部用内窓の望ましい実施例を示している。この実施例の建物開口部用内窓は、建物開口部における既設の窓（外窓）の内側に設置して二重窓を形成させるためのものであって、該内窓を構成する一対の内窓ユニット１を建物開口部の上下枠に固定するガイド材２，３に引き違い戸状に配して保持させている。上記ガイド材２，３は、汎用されている周知の紙障子を嵌める敷居の溝と同程度の幅を有し、その溝幅内に上記一対の内窓ユニット１を引き違い戸状に建て込むようにしているため、該ガイド材２，３に形成されている各２条の溝２ａ，３ａは、紙障子の敷居の溝に対し１／２程度の幅をもつことになり、小さいスペースに内窓を設置することができる。
【００１５】
上記ガイド材２，３は、上記各２条の溝２ａ，３ａを有する一定の断面形状のものとして合成樹脂で押出成形されたものであり、それを建物開口部の上下枠に固定するには、それらの各溝底を通して釘やねじ等の固定金具５を建物開口部の枠材に打ち込むことになるが、特に建物開口部の下枠に固定するガイド材３は、その溝底を内窓ユニット１の下端が摺動することになるので、上記固定金具５の頭部と内窓ユニット１の下端摺動面が接触するのを避けるために、ガイド材３の溝底に滑り性の良好なテープ材６を敷設するようにしている。なお、建物開口部の左右の縦枠にも、必要に応じて、同様な構成のガイド材４を設けることができる。
【００１６】
上記建物開口部に上下のガイド材２，３を介して装着される一対の内窓ユニット１は、アルミニウム等の金属材により形成されて、外窓側の四周に位置する一対の縦横の外枠材１１，１２と、図１に示すように、該縦横の外枠材１１，１２を四隅において相互に接合するコーナー部材３０と、該縦横の外枠材１１，１２の内側に透光板７を挟んで配設される合成樹脂製の一対の縦横の内枠材２１，２２とを備えるものであり、上記各一対の縦及び横の金属製の外枠材１１，１２をコーナー部材３０とビス３１で強固に連結することにより、内窓ユニット１に形状保持性を付与している。
なお、図２に示す内窓は、その左側を外窓側とし、反対側を室内側として設置されるものである。
【００１７】
上記縦横の各外枠材１１，１２としては、図２及び図３から分かるように、互いに同一の断面形状を有する型材を用いている。該外枠材１１，１２は、中空筒状の本体部１４を有し、該本体部１４には外窓側面と面一で該本体部１４の内周側に延びる上記透光板７の受け面１５が一体に形成され、また、上記本体部１４の内面に、この外枠材１１，１２の端部にコーナー部材３０をビス３１で連結するためのビスポケット（ビスの螺挿孔）１６を設けている。更に、上記受け面１５の内面側には、そこに載置した透光板７の移動の限度を設定するためのリブ１５ａを、透光板７の周囲に若干の余裕が生じるようにして突設している。
なお、縦の外枠材１１の強度が問題になる場合には、その本体部１４内に、図３に示すようなコ字状に折曲した補強鉄板１７を嵌入すればよく、縦横の外枠材１１，１２の強度を高めるには、図１に示すようにその両者に補強鉄板１７を嵌入すればよい。
【００１８】
上記透光板７は、ポリカーボネート樹脂等の合成樹脂材板によって形成され、その四周を上記外枠材１１，１２における各受け面１５に対して面ファスナー８を介して取り付けることにより、外枠材に安定的に保持させている。該面ファスナー８は、上記透光板７と上記受け面１５とに両面テープで取り付けられる第１及び第２のファスナー片によって構成され、その一方のファスナー片における多数の鈎形突子と他方のファスナー片における多数の繊維ループとが係着することにより、両ファスナー片が接合されるものである。
なお、面ファスナー８は上記構成のものに限らず、他の構成を有するものを用いることができる。また、該面ファスナーに代えて、ゴム弾性を有する緩衝材を介在させることもできる。
【００１９】
一方、上記縦横の内枠材２１，２２は、上記外枠材１１，１２の室内側を被包するカバーとしての形態を有し、上記外枠材１１，１２における本体部１４の周囲に弾性的に係着する少なくとも一対の係止鈎２４，２５を備えている。また、上記外枠材１１，１２における受け面１５に対向する内枠材２１，２２の延長部位２１ａ，２２ａに、上記透光板７を該受け面１５側に押圧する可撓舌片２６を備え、該係止鈎２４，２５及び可撓舌片２６を上記内枠材２１，２２と共に合成樹脂で一体に成形している。該可撓舌片２６は、軟質樹脂の一体成形であることが望ましい。
【００２０】
なお、上記縦横の内枠材２１，２２も、基本的には同一形状を有するものであるが、図３に示すように、一対の内窓ユニット１で外窓との間の空間を閉じたときに相互に重なる縦の内枠材２１間は、通常、モヘア等によって閉じることになるが、上記内枠材２１は合成樹脂製であるため、その一方に他方との間の隙間を埋める可撓突片２７を設けておくことにより、上記モヘアに代えることもできる。図１及び図４中の符号２８は、内枠材２１に取り付けた開閉操作用の取っ手を示している。
また、内枠材２１，２２に設ける上記可撓舌片２６は、それを外枠材１１，１２に係着させる場合に、部分的にコーナー部材３０と干渉することがあるが、その場合には可撓舌片２６の不必要部分を切除することになる。
【００２１】
更に、上記透光板７を外枠材１１，１２における受け面１５に対して上記面ファスナー８により取り付けたままの構成にすると、該面ファスナー８の接合面間に通気間隙が形成されることから、該接合面間及び内外枠材内を通して、透光板７の一面側の空気が反対面側に流れて断熱効果を損なうことになるが、上記透光板７を押さえる内枠材２１，２２の可撓舌片２６にその空気の流通を阻止するシール機能をもたせているので、透光板７の保護と断熱を効果的に行わせることができる。
【００２２】
また、上記外枠材１１，１２を形成するアルミニウム等の金属材と透光板７を構成するポリカーボネート樹脂等の合成樹脂材は、熱膨張係数に差があり、そのため、該透光板７を外枠材１１，１２に対して固定的に保持させておくと、該透光板７に内部応力が発生して部分的に膨出したり破損したりする可能性があるが、上述したように面ファスナー８がその接合面内でずれ動くような構成のものとして、透光板７の位置や姿勢を拘束しないようにしておくと、外枠材１１，１２と透光板７との熱膨張の差異によって該透光板７が応力を受けるのを抑制することができる。また、上記面ファスナー８は緩衝性を有しているので、透光板７を剛に固定する場合に比して、亀裂等の損傷が生じるのを回避することができる。
【００２３】
上記構成を有する建物開口部用内窓は、建物開口部における内窓の設置位置にガイド材２，３を釘やねじ等で固定して、それに建物開口部の寸法に合わせた所定寸法の内窓ユニットを嵌め着ければよく、そのため、建物開口部に内窓設置のための各種の加工を行う必要がなく、施工業者でなくても、該内窓を簡易に設置することができる。また、内窓自体の組立も、アルミニウム等の金属製の外枠材用の縦横の枠材を所要の寸法に切断して、それらをコーナー部材３０で連結し、外枠材１１，１２の受け面１５に面ファスナー等を介して透光板７を取り付け、その透光板７を、各外枠材１１，１２に対して必要な寸法に切断した内枠材２１，２２の係止鈎２４，２５を弾性的に係着させれば上記組立を完了することができ、それにより該透光板７を外枠材１１，１２に対して安定的に保持させることができる。
【符号の説明】
【００２４】
７      透光板
８      面ファスナー
１１，１２    外枠材
１４      本体部
１５      受け面
２１，２２    内枠材
２４，２５    係止鈎
２６      可撓舌片
【図１】
0005730675.tif 000002
【図２】
0005730675.tif 000003
【図３】
0005730675.tif 000004
【図４】
0005730675.tif 000005